(57)【特許請求の範囲】
【請求項１】
開閉ハンドルを有したブレーカ及びこのブレーカに電気的に接続されるプラグ差込口を有したコンセントをそれぞれ開閉ハンドル及びプラグ差込口を開口側として収納した一面開口の箱体と、コンセントを外部から露見可能な露見孔を有してコンセントから所定間隔で箱体の開口を塞ぐ蓋体と、を備えた住宅用分電盤において、前記露見孔は、コンセントのプラグ差込口に差し込まれる電気機器を外部から装着し得る大きさに形成されるとともに、この露見孔の開口口縁に対して同周囲で電気機器を囲む隔離壁を、前記所定間隔内で、且つ挿入させた指先がブレーカに触れない隙間以内で前記露見孔の開口周縁に設け、前記ブレーカはフレームを介して箱体に取着され、前記コンセントは、前記露見孔に対向して配置されて前記フレームに取着されるコンセント収納体の底部の一端側に、プラグ差込口側の前面が突出した状態で取着され、前記コンセント収納体の底部の他端側は、その面の高さ位置が前記底部の一端側から突出したコンセントのプラグ差込口の前面と同じ高さとなるように形成され、前記コンセントのプラグ差込口の前面と前記コンセント収納体の底部の他端側とで前記コンセントに接続される電気機器の底面部を支えることを特徴とする住宅用分電盤。
【請求項２】
前記露見孔から箱体内に電気機器を装着した状態で、この電気機器の四周のうちの少なくとも一方方向両側と隔離壁との間に指先差込空間を設けたことを特徴とする請求項１記載の住宅用分電盤。
【請求項３】
前記指先差込空間は、プラグ差込口の長手方向両側に設けたことを特徴とする請求項２記載の住宅用分電盤。
【請求項４】
前記露見孔から装着される電気機器を照明機器とし、箱体の開口を建物の壁面に対して平行状態で壁面に取着したときに、前記照明機器を床方向に傾斜させた状態で装着したことを特徴とする請求項１乃至３の何れか記載の住宅用分電盤。
【発明の詳細な説明】
【０００１】
【発明の属する技術分野】
本発明は、住宅用分電盤に関するものである。
【０００２】
【従来の技術】
近年、分電盤を設置した後に、工事業者が分電盤内の主幹ブレーカ及び分岐ブレーカを点検するために、照明や各種点検道具等の電源が必要なことがあり、分電盤を形成する箱体内にコンセントを収納することが為されている。
本出願人も、天井に配設される分電盤ではあるが、前面側のプラグ差込口を開口側として一面開口の箱体内にコンセントを収納し、箱体の開口を塞ぐ中蓋（蓋体）にコンセント露見孔を設け、この露見孔からコンセントの前面を外部に突出させたもの（特開平６−３３５１２３号）を提案している。なお、このものには、中蓋の外側に配設される外蓋も設けられている。
【０００３】
【発明が解決しようとする課題】
上述したものによれば、コンセントの前面が中蓋（蓋体）の露見孔から突出した状態で配設されているので、外蓋を開くことによってコンセントに各種電気機器のプラグを差し込むことができ、照明機器や各種点検道具等を接続して分電盤内のブレーカを照らしたり、ブレーカの点検を行うことができる。
【０００４】
一方、夜中に地震等により停電が発生したときには、建物内の照明機器が全て消えるので避難しにくいという問題があり、これを解決するために、通常はコンセントに差し込んで充電しておき、停電になったら勝手に点灯し、しかもコンセントから取り外し自在な非常用照明機器が登場した。この非常用照明機器を壁面に配設された通常のコンセントに接続するとコンセントの数が減るので、分電盤内に取り付けることが考えられるが、上述した分電盤によれば、コンセントが中蓋から突出した状態で配設されているので、照明機器も中蓋からかなり突出した状態で配設されることとなり、非常用照明機器の収納性が悪いという問題があった。
【０００５】
また、収納性を向上させるために、コンセントを箱体の奥側に収納するとともに蓋体に露見孔を設けて照明機器を収納することも考えられるが、掃除や点検の際に、照明機器を取り外してコードを有する電気機器のプラグをコンセントのプラグ差込口に差し込む場合、作業者が誤って箱体内のブレーカやブレーカの配線等に触れることがあり、そのブレーカの負荷への電気の供給を停止させてしまう恐れがある。
【０００６】
本発明は、かかる事由に鑑みて為されたものであり、その目的とするところは、可搬型の非常用照明機器等の小型の電気機器の収納性が向上するとともに、コンセントから小型の電気機器を取り外して一般の電気機器に使用する場合に箱体内のブレーカやブレーカの配線に触れる恐れが少なく、もって安定した負荷への電気の供給が行える住宅用分電盤を提供することにある。
【０００７】
上記目的を達成するために請求項１の発明では、開閉ハンドルを有したブレーカ及びこのブレーカに電気的に接続されるプラグ差込口を有したコンセントをそれぞれ開閉ハンドル及びプラグ差込口を開口側として収納した一面開口の箱体と、コンセントを外部から露見可能な露見孔を有してコンセントから所定間隔で箱体の開口を塞ぐ蓋体と、を備えた住宅用分電盤において、前記露見孔は、コンセントのプラグ差込口に差し込まれる電気機器を外部から装着し得る大きさに形成されるとともに、この露見孔の開口口縁に対して同周囲で電気機器を囲む隔離壁を、前記所定間隔内で、且つ挿入させた指先がブレーカに触れない隙間以内で前記露見孔の開口周縁に設けたので、外部からコンセントのプラグ差込口に電気機器のプラグを差し込んで電気機器を箱体内に装着することができる。また、この電気機器を取り外して他の電気機器のコードを挿通させてプラグ差込口にプラグを差し込む場合、箱体内のブレーカやブレーカの接続電線に触れる恐れが少なく、もって安定した負荷への電気の供給が行える。また、前記ブレーカはフレームを介して箱体に取着され、前記コンセントは、前記露見孔に対向して配置されて前記フレームに取着されるコンセント収納体の底部の一端側に、プラグ差込口側の前面が突出した状態で取着され、前記コンセント収納体の底部の他端側は、その面の高さ位置が前記底部の一端側から突出したコンセントのプラグ差込口の前面と同じ高さとなるように形成され、前記コンセントのプラグ差込口の前面と前記コンセント収納体の底部の他端側とで前記コンセントに接続される電気機器の底面部を支えるので、露見孔の略全面を覆う電気機器を装着したときに、電気機器ががたつきにくくなる。
【０００８】
請求項２の発明では、請求項１の発明において、前記露見孔から箱体内に電気機器を装着した状態で、この電気機器の四周のうちの少なくとも一方方向両側と隔離壁との間に指先差込空間を設けたので、指先差込空間から指先を差し込んで電気機器を取り外し易くできる。請求項３の発明では、請求項２の発明において、前記指先差込空間は、プラグ差込口の長手方向両側に設けたので、電気機器をプラグ差込口から取り外すときに、電気機器のプラグが変形しにくいものとなる。
【００１０】
請求項４の発明では、請求項１乃至３の何れかの発明において、前記露見孔から装着される電気機器を照明機器とし、箱体の開口を建物の壁面に対して平行状態で壁面に取着したときに、前記照明機器を床方向に傾斜させた状態で装着したので、足元を照らすことができる。
【００１１】
【発明の実施の形態】
本実施形態１を図１乃至図６により説明する。本実施形態は壁面等に埋設する住宅用分電盤を構成し、盤本体は図４に示すように壁面等に埋設される前面開口の箱体１と、この箱体１の前面開口を覆う蓋体２とで構成され、箱体１内には内器ブロック３が取着され、また上部開口１ａより先行配線された電線が箱体１内に導入されるようになっている。
【００１２】
内器ブロック３は箱体１の奥面に横方向に並行取着される２本のフレーム４，４と、このフレーム４、４間に取着される主幹ブレーカ５と、この主幹ブレーカ５に電源側接続バー６及び接地側接続バー７を介して電気的に接続され、各フレーム４，４に横並びに取着される分岐ブレーカ８…と、この分岐ブレーカ８…の横並びで少なくとも１つのフレーム４に取着され、前記電源接続側バー６及び接地側接続バー７に各々電気的に接続されたコンセント９と、このコンセント９に接続される電源側電線１０と電源側接続バー６との間に介在してフレーム４に取着されるヒューズボックス１１と、このヒューズボックス１１に取着されるヒューズ１２と、前記の各接続バー６、７を配設した導電ブロック１３等より構成されたもので、Ｚ状に曲成してある取付金具１４、１４にフレーム４、４の両端をを固定し、この取付金具１４，１４に穿設してある達磨孔１４ａを用いて箱体１の両側壁１ｂ，１ｂの前面に螺子固定することにより箱体１内に箱体１の奥面と接触しないように収納保持される。
【００１３】
導電ブロック１３はフレーム４，４間の中央にフレーム４と並行するに配置された絶縁基台１５と、箱体１の開口側に面する絶縁基台１５の前部に長手方向に配設された接地側接続バー７と、絶縁基台１５の後部の上下側に長手方向配設された電源側接続バー６，６とからなる。接地側接続バー７及び電源側接続バー６，６は単相３線用主幹ブレーカ５の夫々に対応する負荷側端子に導体を介して接続され、また各分岐ブレーカ８の電源側端子に夫々導体を介して接続され、導電ブロック１３はこれらブレーカ５，８に対する接続により導体及び接続バー６、７の剛性によりフレーム４、４間で支持される。
【００１４】
また導電ブロック１３の絶縁基台１５の上記前部の上下側には長手方向に沿って突出壁１５ａを設けており、この両側突出壁１５ａ、１５ａ間に亘るように図３、図４に示す如く絶縁カバー１６を載置して、導電ブロック１３を被蔽するとともに、両側に配置された分岐ブレーカ８の端子部を被蔽する。この際突出壁１５ａ，１５ａより突出してある突起１５ｂが絶縁カバー１６の側縁に形成した切欠１６ａに係合して絶縁カバー１６を保持する。
【００１５】
前記ヒューズボックス１１は板部材１９に取り付けられる。板部材１９は金属板からなり、一端側が後述するようにフレーム４に取着され、他端が他方のフレーム４から離れる方向に延出形成されて、この他端演出部１９ａ上にヒューズボックス１１を螺子固定してある。そして板部材１９の上面には一面開口の箱状をなした金属製のコンセント収納体２３が絶縁板３５を介して図５に示すように螺子１８…により取着される。ここで螺子１８の先端は板部材１９の挿通孔１７、１７’を介してフレーム４に螺合締結されることにより板部材１９、コンセント収納体２３及び絶縁体３５を共に固定している。
【００１６】
コンセント収納体２３に収納されるコンセント９は既製の配線器具のコンセントが使用され、金属製の取付枠２０に予め固定されており、コンセント収納体２３に対する固定は次のように行う。つまりコンセント収納体２３と板部材１９とに設けたコンセント挿通孔２１，２２にプラグ差込口９ａ，９ａが図４において上向き側となるようにしてコンセント９の後部を嵌め込むととおもに、取付枠２０の両端部をコンセント挿通孔２１開口周縁のコンセント収納体２３底部に当接し、この取付枠２０の両端部に設けた取付孔２４とこの取付孔２４に対応したコンセント収納体２３側の挿通孔２５とを介して板部材１９に設けた螺子孔２６に螺子２７を螺入締結することによりコンセント９をコンセント収納体２３を介して板部材１９に固定するのである。ここで板部材１９に対して重合するフレーム４の一部は図３において破線で示すように切欠部２８を設けており、この切欠部２８内にコンセント挿通孔２２より突出せるコンセント９の後部を嵌めてコンセント９の後部の逃げとしている。
【００１７】
コンセント９は器体の両側に金属取付枠用係止孔２９及び合成樹脂製取付枠用係止爪３０を設けた既製の配線器具からなり、取付枠２０の開口窓３１に前方から器体後部を嵌め込んで一方の係止孔２９に開口窓３１の両側内縁の一方に突設してある係止突起３２ａを係入させ、開口窓２３の両側内縁の他方に突設してある係止突起３２ｂに対応するように取付枠２０の枠片に形成してある孔３２ｃを用いて枠片を変形させて係止突起３２ｂを器体の他方の係止孔２９に係入させることにより取付枠２０に固定される。
【００１８】
而してコンセント９の電源接続端子の接地側は電線３３により接地側接続バー７に対して接続され、他方はヒューズボックス１１の出力側端子に電線１０により接続される。またヒューズボックス１１の入力側端子は電線３４により電源側接続バー６に接続される。
上記絶縁板３５は板部材１９とコンセント収納体２３との間に介在して各接続バー６，７とコンセント収納体２３とを絶縁するためのものであって、コンセント収納体２３と隣合う分岐ブレーカ８及び導電ブロック１３とを絶縁する隔離片３５ａ及び３５ｂを設けてある。
【００１９】
蓋体２は箱体１の前面開口に被着されるもので、扉４６を開閉自在に枢支してある中央凹平面４７には主幹ブレーカ５の開閉ハンドル３６、分岐ブレーカ８の開閉ハンドル３７を露見させる窓孔３８、３９を夫々に対応するように開口するとともに、コンセント９の差込口９ａ，９ａを露見させ、且つこのコンセント９の差込口９ａ，９ａに栓刃を挿入して電気的に接続するとともに保持される充電式で且つ可搬自在な非常用照明機器４０の後部を上記コンセント収納体２３に嵌め込むことができる露見孔４１を開口してある。露見孔４１は蓋体２に直接開口しておらず、コンセント９に対応する蓋体２の位置に開口した角状の開口窓４３に嵌着した枠体４２により開口したもので、コンセント９のプラグ差込口９ａ，９ａに差し込まれる非常用照明機器４０を外部から装着し得る大きさに形成されている。そして枠体４２の周壁の高さは略蓋体２の高さ（所定間隔）に相当し、枠体４２の後端の開口部は、蓋体２が閉じられた状態で箱体１側のコンセント収納体２３の開口部に僅かの隙間を介して臨むようになっている。
【００２０】
つまり枠体４２の後端の開口部たる露見孔４１の開口周縁とコンセント収納体２３の開口部との隙間はコンセント９のプラグ差込口９ａ，９ａに電気機器のプラグを差し込む際に誤って箱体１内分岐ブレーカ８の接続電線に触れることがないような寸法とし、且つコンセント９に非常用照明機器４０を接続した場合に、露見孔４１から蓋体２の前面に至るまでの枠体４２の周壁、つまり隔離壁４２ａと非常用照明機器４０の外周面との隙間をコンセント９の差込口９ａ，９ａの長手方向の両側（つまり図３では上下部）において指先が入る寸法とし両側部においては隙間を殆ど無くしてある。従って非常用照明機器４０をコンセント９から外す際には図６に示すように上、下部に形成された指先差し込み空間４４、４４に指先を入れて指先により非常用照明機器４０の上下部を掴むようにすれば容易に非常用照明機器４０を前方へ引き抜くことができる。この時露見孔４１の開口周縁から箱体１内部に指先が入らないから分岐ブレーカ８の接続電線に接触することが無く安全である。
【００２１】
また非常用照明機器４０をコンセント９に接続する場合も同様に非常用照明機器４０の上下部を指先で掴むようにして枠体４２内に押し込めば非常用照明機器４０の後面に突出してある栓刃を露見孔４１を介してコンセント９の差込口９ａ，９ａに差し込むことができる。
ここでコンセント収納体２３の底部はコンセント挿通孔２５が開口している一端側より他端側は一段高くなった段部２３ａとなっており、この段部２３ａの面の位置はコンセント９の差込口９ａ，９ａが開口している前面と略同じ高さになっており、非常用照明機器４０の栓刃をコンセント９の差込口９ａ，９ａに差し込んだ状態で、非常用照明機器４０の後面をコンセント９の前面とともに支えるようになっている。
【００２２】
蓋体２の扉４６は非常用照明機器４０を装着した状態で開閉することができるもので、例えば光透過性の樹脂等により成形されたものを使用している。
非常用照明機器４０は通常時は商用電源により内蔵蓄電池が充電され、商用電源が停電した時に自動的に内蔵ランプを点灯させることができるようになっている。またコンセント９から外して使用する場合には「入」「切」のスイッチで、懐中電灯と同様にも使用することができるものである。
【００２３】
而して本実施形態の住宅用分電盤では分電盤内に点検時に点検道具等の電源が必要な場合には、非常用照明機器４０を外してコンセント９を使用することができ、また通常には非常用照明機器４０を装着して、停電等の際の非常灯に使用することができ、また避難等の際にはコンセント９より取り外して懐中電灯として使用することができる。また必要に応じて点検器具の電源コンセントとしてコンセント９を使用することができる。
【００２４】
（実施形態２）
上記実施形態１は埋め込み型の住宅用分電盤であったが、本実施形態は露出設置型の住宅用分電盤であり、本実施形態を図７乃至図１２により説明する。
まず本実施形態と実施形態１との相違は、実施形態１の如く取付金具１４を用いて内器ブロック３を箱体１に取り付けたものではなく、図１０に示すように箱体１の奥面に設けたブロック載置片５０の螺子孔５１に予め締結してある螺子（図示せず）の頭部をフレーム４，４の両端に設けた達磨孔５２に嵌め込むようにして内器ブロック３を箱体１に収納した後、螺子を締結して内器ブロック３を固定する。
【００２５】
また箱体１の前面開口に被着する蓋体２には扉を設けておらず、主幹ブレーカ５、分岐ブレーカ８の各開閉ハンドル３６、３７を窓孔３８，３９を介して外部に露出させるようになっている。また内器ブロック３に設けたコンセント９に接続して装着する非常用照明機器４０の前面も外部に露出させるようになっている。
【００２６】
さて内器ブロック３は実施形態１と同様に箱体１の奥面に横方向に並行取着される２本のフレーム４，４と、このフレーム４、４間に取着される主幹ブレーカ５と、この主幹ブレーカ５に電源側接続バー６及び接地側接続バー７を介して電気的に接続され、各フレーム４，４に横並びに取着される分岐ブレーカ８…と、この分岐ブレーカ８…の横並びで少なくとも１つのフレーム４に取着され、前記電源接続側バー６及び接地側接続バー７に各々電気的に接続されたコンセント９と、このコンセント９の電源側電線１０と電源側接続バー６との間に介在してフレーム４に取着されるヒューズボックス１１と、このヒューズボックス１１に取着されるヒューズ１２と、前記の各接続バー６、７を配設した導電ブロック１３等より構成されており、上述のようにフレーム４，４の両端に形成した達磨孔５２と螺子を用いて箱体１のブロック載置片５０に固定される。
【００２７】
フレーム４は断面コ状で両側片の先端より外側方へ載置片４ａ、４ａを突設しており、この載置片４ａ，４ｂ上に分岐ブレーカ８や、主幹ブレーカ５の底面が乗って支えられるようになっている。
導電ブロック１３は実施形態１と同様にフレーム４，４間の中央にフレーム４と並行するに配置された絶縁基台１５と、この絶縁基台１５に配設された接地側接続バー７及び電源側接続バー６，６とからなり、接地側接続バー７及び電源側接続バー６，６は単相３線用主幹ブレーカ５の夫々に対応する負荷側端子に導体を介して接続され、また各分岐ブレーカ８の電源側端子に夫々導体を介して接続され、導電ブロック１３はこれらブレーカ５，８に対する接続により導体及び接続バー６、７の剛性によりフレーム４、４間で支持される。
【００２８】
また図７に示すように導電ブロック１３の絶縁基台１５の前部に設けた突出壁１５ａ、１５ａ間に亘るように絶縁カバー１６を載置して、導電ブロック１３を被蔽するとともに、両側に配置された分岐ブレーカ８の端子部を被蔽する。この際突出壁１５ａ，１５ａより突出してある係止突起１５ｂ’が絶縁カバー１６の側縁に形成した切欠１６ａに係合して絶縁カバー１６を保持する。
【００２９】
前記ヒューズボックス１１は板部材１９に取り付けられる。板部材１９は金属板からなり、図７，図１１に示すように一端両側に形成せる取付片５４の挿通孔５５を通した螺子１８’によりフレーム４の内側の載置片４ａに形成した螺子固定することによりフレーム４に取着され、他端が他方のフレーム４から離れる方向に延出形成された金属板からなり、他端延出部１９ａ上にヒューズボックス１１を螺子固定するのである。そして板部材１９の両側縁には上記フレーム４の外側の載置片４ａの裏面側に延出して該載置片４ａと係合して板部材１９とでフレーム４の載置片４ａを挟む係合片５３を設けてあり、この係合片５３により板部材１９のフレーム４への取り付け時の位置決めと、回転止めとを図っている。
【００３０】
そして板部材１９の上面には一面開口の箱状をなした金属製のコンセント収納体２３が絶縁板３５を介して螺子１８により取着される。コンセント収納体２３に収納されるコンセント９は実施形態１と同様に既製の配線器具のコンセントが使用され、金属製の取付枠２０を用いてコンセント収納体２３に実施形態１と同様に固定する。ここでは実施形態１を参照してその固定構造についての説明は省略する。またコンセント収納体２３、絶縁体３５、板部材１９の取付けも実施形態１と同じ構成についてはここでは説明は省略する。またコンセント９と取付枠２０も実施形態１と同じものを使用するため、両者の関係についての説明はここでは省略する。
【００３１】
さて本実施形態での板部材１９はフレーム４に一端を固定した際に前面が下向き傾斜するように取付片５４との境界部をやや後方に折り曲げてあり、板部材１９に取り付けられたコンセント収納体２３の開口面はやや下向き傾斜し、コンセント９の差込口９ａ，９ａの向きも下向き傾斜する。
つまり箱体１に被着する蓋体２の略中央より上下の面が傾斜しており、この下側の傾斜面に開口する後述する露見孔４１の向きに合わせてある。
【００３２】
蓋体２は主幹ブレーカ５の開閉ハンドル３６、分岐ブレーカ８の開閉ハンドル３７を露見させる窓孔３８、３９を夫々に対応するにように開口するととに、コンセント９の差込口９ａ，９ａを露見させ、且つこのコンセント９の差込口９ａ，９ａに栓刃を挿入して電気的に接続するともに保持される充電式で且つ可搬自在な非常用照明機器４０の後部を上記コンセント収納体２３に嵌め込むことができる露見孔４１を開口してある。露見孔４１は蓋体２に直接開口しておらず、コンセント９に対応する蓋体２の位置に開口した角状の開口窓４３に嵌着した枠体４２の底部に開口したものある。本実施例の枠体４２の周壁である隔離壁４２ａの役割及びその構成も実施形態１と同じであるから、ここでは詳細な説明は省略する。
【００３３】
而して本実施形態の住宅用分電盤でも実施形態１と同様に分電盤内に点検時に点検道具等の電源が必要な場合には、非常用照明機器４０を外してコンセント９を使用することができ、また通常には非常用照明機器４０を装着して、停電等の際の非常灯に使用することができ、また避難等の際にはコンセント９より取り外して懐中電灯として使用することができる。更にコンセント９を用いて点検器具の電源コンセントと使用できる。
【００３４】
そして本実施形態では、箱体１を壁面に取り付けた状態において、蓋体２に開口した露見孔４１の向きは床方向となっており、そのためコンセント９に装着した非常用照明機器４０の前面も床方向に向くことなり、そのため非常時時に点灯した場合、足元を照らすことができることになり、避難等が容易に行えることになる。
【００３５】
尚実施形態１、実施形態２の図面中において６０は圧着端子であり、６１は螺子端子で、電線の接続に使用されている。
【００３６】
【発明の効果】
請求項１の発明は、開閉ハンドルを有したブレーカ及びこのブレーカに電気的に接続されるプラグ差込口を有したコンセントをそれぞれ開閉ハンドル及びプラグ差込口を開口側として収納した一面開口の箱体と、コンセントを外部から露見可能な露見孔を有してコンセントから所定間隔で箱体の開口を塞ぐ蓋体と、を備えた住宅用分電盤において、前記露見孔は、コンセントのプラグ差込口に差し込まれる電気機器を外部から装着し得る大きさに形成されるとともに、この露見孔の開口口縁に対して同周囲で電気機器を囲む隔離壁を、前記所定間隔内で、且つ挿入させた指先がブレーカに触れない隙間以内で前記露見孔の開口周縁に設けたので、外部からコンセントのプラグ差込口に電気機器のプラグを差し込んで電気機器を箱体内に装着することができるという効果がある。また、この電気機器を取り外して他の電気機器のコードを挿通させてプラグ差込口にプラグを差し込む場合、箱体内のブレーカやブレーカの負荷線に触れる恐れが少なく、もって安定した負荷への電気の供給が行えるという効果がある。また、前記ブレーカはフレームを介して箱体に取着され、前記コンセントは、前記露見孔に対向して配置されて前記フレームに取着されるコンセント収納体の底部の一端側に、プラグ差込口側の前面が突出した状態で取着され、前記コンセント収納体の底部の他端側は、その面の高さ位置が前記底部の一端側から突出したコンセントのプラグ差込口の前面と同じ高さとなるように形成され、前記コンセントのプラグ差込口の前面と前記コンセント収納体の底部の他端側とで前記コンセントに接続される電気機器の底面部を支えるので、露見孔の略全面を覆う電気機器を装着したときに、電気機器ががたつきにくくなるという効果がある。
【００３７】
請求項２の発明は、請求項１の発明において、前記露見孔から箱体内に電気機器を装着した状態で、この電気機器の四周のうちの少なくとも一方方向両側と隔離壁との間に指先差込空間を設けたので、指先差込空間から指先を差し込んで電気機器を取り外し易くできるという効果がある。請求項３の発明は、請求項２の発明において、前記指先差込空間は、プラグ差込口の長手方向両側に設けたので、電気機器をプラグ差込口から取り外すときに、電気機器のプラグが変形しにくいものとなるという効果がある。
【００３９】
請求項４の発明は、請求項１乃至３の何れかの発明において、前記露見孔から装着される電気機器を照明機器とし、箱体の開口を建物の壁面に対して平行状態で壁面に取着したときに、前記照明機器を床方向に傾斜させた状態で装着したので、足元を照らすことができ、非常時の避難が容易となるという効果がある。
【図面の簡単な説明】
【図１】本発明の実施形態１の要部の一部省略せる拡大側断面図である。
【図２】同上の要部の一部省略せる拡大平断面図である。
【図３】同上の一部省略せる拡大正面断面図である。
【図４】同上の一部破断せる分解斜視図である。
【図５】同上のコンセント、コンセント収納体、板部材、ヒューズボックスの分解斜視図である。
【図６】同上の扉を開いた状態の正面図である。
【図７】本発明の実施形態２の要部の一部省略せる拡大側断面図である。
【図８】同上の要部の一部省略せる拡大平断面図である。
【図９】同上の一部省略せる拡大正面断面図である。
【図１０】同上の一部破断せる分解斜視図である。
【図１１】同上のコンセント、コンセント収納体、板部材、ヒューズボックスの分解斜視図である。
【図１２】同上の正面図である。
【符号の説明】
２    蓋体
３    内器ブロック
４    フレーム
６    電源側接続バー
７    接地側接続バー
８    分岐ブレーカ
９    コンセント
１０  電線
１１  ヒューズボックス
１３  導電ブロック
１９  板部材
３５  絶縁板
３７  開閉ハンドル
４０  非常照明機器
４１  露見孔
４２  枠体
４４  指先差し込み空間
【図１】
0003582218.tif 000002
【図２】
0003582218.tif 000003
【図３】
0003582218.tif 000004
【図４】
0003582218.tif 000005
【図５】
0003582218.tif 000006
【図６】
0003582218.tif 000007
【図７】
0003582218.tif 000008
【図８】
0003582218.tif 000009
【図９】
0003582218.tif 000010
【図１０】
0003582218.tif 000011
【図１１】
0003582218.tif 000012
【図１２】
0003582218.tif 000013